(57)【特許請求の範囲】
【請求項１】
複数のデータを記憶するデータ記憶部と、
作業に使用される作業用記憶部と、
前記複数のデータの転送の要求を受け付ける転送要求受付手段と、
前記転送要求受付手段によって前記要求が受け付けられた場合に前記データ記憶部上の前記複数のデータを格納する圧縮ファイルを生成する圧縮ファイル生成手段と、
前記圧縮ファイル生成手段によって生成された前記圧縮ファイルを外部の装置に転送する圧縮ファイル転送手段と、
前記圧縮ファイル転送手段によって前記圧縮ファイルが外部の装置に転送された場合に前記データ記憶部上の前記圧縮ファイルから前記複数のデータを復元するデータ復元手段と
を備えており、
前記圧縮ファイル生成手段は、
前記データ記憶部上の前記複数のデータの１つのデータを可逆圧縮によって変換して変換済ファイルを前記作業用記憶部に生成する変換済ファイル生成手段と、
前記変換済ファイル生成手段によって生成された前記変換済ファイルの変換元の前記データを前記データ記憶部から削除する変換元データ削除手段と、
前記変換元データ削除手段によって前記データが削除された後で、前記作業用記憶部上の前記変換済ファイルを可逆圧縮によって圧縮して前記データ記憶部上の前記圧縮ファイルに格納するファイル圧縮手段と、
前記ファイル圧縮手段によって前記圧縮ファイルに格納された前記変換済ファイルを前記作業用記憶部から削除する圧縮時変換済ファイル削除手段と
を備えており、
前記変換済ファイル生成手段は、前記作業用記憶部に前記変換済ファイルが存在しない場合に、前記変換済ファイルを前記作業用記憶部に生成し、
前記データ復元手段は、
前記データ記憶部上の前記圧縮ファイルから前記複数のデータの１つの前記変換済ファイルを前記作業用記憶部に伸張するファイル伸張手段と、
前記ファイル伸張手段によって伸張された前記変換済ファイルを前記圧縮ファイルから削除する圧縮ファイル中ファイル削除手段と、
前記圧縮ファイル中ファイル削除手段によって前記変換済ファイルが削除された後で、前記作業用記憶部上の前記変換済ファイルを復元して前記データを前記データ記憶部に生成する復元データ生成手段と、
前記復元データ生成手段によって生成された前記データの復元元の前記変換済ファイルを前記作業用記憶部から削除する復元時変換済ファイル削除手段と
を備えており、
前記ファイル伸張手段は、前記作業用記憶部に前記変換済ファイルが存在しない場合に、前記変換済ファイルを前記作業用記憶部に伸張することを特徴とする電子機器。
【請求項２】
前記圧縮ファイル生成手段は、
前記変換元データ削除手段によって前記データが削除された後で、前記作業用記憶部上の前記変換済ファイルを前記データ記憶部に移動させる圧縮時ファイル移動手段と、
前記圧縮時ファイル移動手段によって前記複数のデータの全ての前記変換済ファイルが前記データ記憶部に移動させられた後、前記データ記憶部上の前記複数のデータの１つの前記変換済ファイルを前記作業用記憶部に移動させる圧縮時作業ファイル移動手段と
を備えており、
前記ファイル圧縮手段は、前記圧縮時作業ファイル移動手段によって前記作業用記憶部に移動させられた前記変換済ファイルを可逆圧縮によって圧縮して前記データ記憶部上の前記圧縮ファイルに格納することを特徴とすることを特徴とする請求項１に記載の電子機器。
【請求項３】
前記データ復元手段は、
前記圧縮ファイル中ファイル削除手段によって前記変換済ファイルが削除された後で、前記作業用記憶部上の前記変換済ファイルを前記データ記憶部に移動させる復元時ファイル移動手段と、
前記復元時ファイル移動手段によって前記複数のデータの全ての前記変換済ファイルが前記データ記憶部に移動させられた後、前記データ記憶部上の前記複数のデータの１つの前記変換済ファイルを前記作業用記憶部に移動させる復元時作業ファイル移動手段と
を備えており、
前記復元データ生成手段は、前記復元時作業ファイル移動手段によって前記作業用記憶部に移動させられた前記変換済ファイルを復元して前記データを前記データ記憶部に生成することを特徴とすることを特徴とする請求項１または請求項２に記載の電子機器。
【請求項４】
前記データ記憶部および前記作業用記憶部は、ＲＡＭで構成されていることを特徴とする請求項１から請求項３までの何れかに記載の電子機器。
【請求項５】
前記複数のデータは、１つの文書データを構成しており、
前記複数のデータの各データは、前記文書データにおける別々のページを構成していることを特徴とする請求項１から請求項４までの何れかに記載の電子機器。
【請求項６】
請求項１から請求項５までの何れかの電子機器としてコンピューターを機能させることを特徴とするファイル圧縮転送プログラム。
【発明の詳細な説明】
【技術分野】
【０００１】
本発明は、ファイルを圧縮して外部の装置に転送する電子機器に関する。
【背景技術】
【０００２】
従来、ファイルを圧縮して分割した後、分割したファイルを外部の装置に転送する電子機器が知られている（特許文献１−３参照。）。
【先行技術文献】
【特許文献】
【０００３】
【特許文献１】特開２００２−１０８６３５号公報
【特許文献２】特開２００３−０６７２７７号公報
【特許文献３】特開２００５−０１１１１９号公報
【発明の概要】
【発明が解決しようとする課題】
【０００４】
しかしながら、従来の電子機器においては、ファイルを分割して外部の装置に転送するので、ファイルを外部の装置に転送する場合、外部の装置との間で複数回の通信が必要であるという問題がある。
【０００５】
そこで、本発明は、外部の装置との間の１回の通信で外部の装置に複数のファイルを転送することができる電子機器を提供することを目的とする。
【課題を解決するための手段】
【０００６】
本発明の電子機器は、複数のデータを記憶するデータ記憶部と、作業に使用される作業用記憶部と、前記複数のデータの転送の要求を受け付ける転送要求受付手段と、前記転送要求受付手段によって前記要求が受け付けられた場合に前記データ記憶部上の前記複数のデータを格納する圧縮ファイルを生成する圧縮ファイル生成手段と、前記圧縮ファイル生成手段によって生成された前記圧縮ファイルを外部の装置に転送する圧縮ファイル転送手段とを備えており、前記圧縮ファイル生成手段は、前記データ記憶部上の前記複数のデータの１つのデータを可逆圧縮によって変換して変換済ファイルを前記作業用記憶部に生成する変換済ファイル生成手段と、前記変換済ファイル生成手段によって生成された前記変換済ファイルの変換元の前記データを前記データ記憶部から削除する変換元データ削除手段と、前記変換元データ削除手段によって前記データが削除された後で、前記作業用記憶部上の前記変換済ファイルを可逆圧縮によって圧縮して前記データ記憶部上の前記圧縮ファイルに格納するファイル圧縮手段と、前記ファイル圧縮手段によって前記圧縮ファイルに格納された前記変換済ファイルを前記作業用記憶部から削除する圧縮時変換済ファイル削除手段とを備えており、前記変換済ファイル生成手段は、前記作業用記憶部に前記変換済ファイルが存在しない場合に、前記変換済ファイルを前記作業用記憶部に生成することを特徴とする。
【０００７】
この構成により、本発明の電子機器は、複数の変換済ファイルを１つの圧縮ファイルに格納し、この圧縮ファイルを外部の装置に転送するので、外部の装置との間の１回の通信で外部の装置に複数の変換済ファイルを転送することができる。また、本発明の電子機器は、不要になったデータおよび変換済ファイルを削除しながら圧縮ファイルを生成するので、作業用記憶部の容量が少ない構成であっても、外部の装置との間の１回の通信で外部の装置に複数の変換済ファイルを転送することができる。
【０００８】
本発明の電子機器において、前記圧縮ファイル生成手段は、前記変換元データ削除手段によって前記データが削除された後で、前記作業用記憶部上の前記変換済ファイルを前記データ記憶部に移動させる圧縮時ファイル移動手段と、前記圧縮時ファイル移動手段によって前記複数のデータの全ての前記変換済ファイルが前記データ記憶部に移動させられた後、前記データ記憶部上の前記複数のデータの１つの前記変換済ファイルを前記作業用記憶部に移動させる圧縮時作業ファイル移動手段とを備えており、前記ファイル圧縮手段は、前記圧縮時作業ファイル移動手段によって前記作業用記憶部に移動させられた前記変換済ファイルを可逆圧縮によって圧縮して前記データ記憶部上の前記圧縮ファイルに格納しても良い。
【０００９】
この構成により、本発明の電子機器は、複数のデータの全てが変換済ファイルとしてデータ記憶部に存在している状態でデータ記憶部に圧縮ファイルを生成するので、複数のデータの何れかが変換済ファイルに変換される前にデータ記憶部に圧縮ファイルを生成する場合と比較して、データ記憶部の空き容量に余裕がある状態で圧縮ファイルを生成することができる。
【００１０】
本発明の電子機器は、前記圧縮ファイル転送手段によって前記圧縮ファイルが外部の装置に転送された場合に前記データ記憶部上の前記圧縮ファイルから前記複数のデータを復元するデータ復元手段を備えており、前記データ復元手段は、前記データ記憶部上の前記圧縮ファイルから前記複数のデータの１つの前記変換済ファイルを前記作業用記憶部に伸張するファイル伸張手段と、前記ファイル伸張手段によって伸張された前記変換済ファイルを前記圧縮ファイルから削除する圧縮ファイル中ファイル削除手段と、前記圧縮ファイル中ファイル削除手段によって前記変換済ファイルが削除された後で、前記作業用記憶部上の前記変換済ファイルを復元して前記データを前記データ記憶部に生成する復元データ生成手段と、前記復元データ生成手段によって生成された前記データの復元元の前記変換済ファイルを前記作業用記憶部から削除する復元時変換済ファイル削除手段とを備えており、前記ファイル伸張手段は、前記作業用記憶部に前記変換済ファイルが存在しない場合に、前記変換済ファイルを前記作業用記憶部に伸張しても良い。
【００１１】
この構成により、本発明の電子機器は、圧縮ファイルを外部の装置に転送した後、この圧縮ファイルから複数のデータを復元することができる。
【００１２】
本発明の電子機器において、前記データ復元手段は、前記圧縮ファイル中ファイル削除手段によって前記変換済ファイルが削除された後で、前記作業用記憶部上の前記変換済ファイルを前記データ記憶部に移動させる復元時ファイル移動手段と、前記復元時ファイル移動手段によって前記複数のデータの全ての前記変換済ファイルが前記データ記憶部に移動させられた後、前記データ記憶部上の前記複数のデータの１つの前記変換済ファイルを前記作業用記憶部に移動させる復元時作業ファイル移動手段とを備えており、前記復元データ生成手段は、前記復元時作業ファイル移動手段によって前記作業用記憶部に移動させられた前記変換済ファイルを復元して前記データを前記データ記憶部に生成しても良い。
【００１３】
本発明の電子機器において、前記データ記憶部および前記作業用記憶部は、ＲＡＭで構成されていても良い。
【００１４】
この構成により、本発明の電子機器は、データ記憶部および作業用記憶部の少なくとも一方がＨＤＤで構成されている場合と比較して、データ記憶部および作業用記憶部へのアクセスが高速であるので、複数のデータを高速に外部の装置に転送することができる。
【００１５】
本発明の電子機器において、前記複数のデータは、１つの文書データを構成しており、前記複数のデータの各データは、前記文書データにおける別々のページを構成していても良い。
【００１６】
この構成により、本発明の電子機器は、複数のページで構成されている文書データを、外部の装置との間の１回の通信で外部の装置に転送することができる。
【００１７】
本発明のファイル圧縮転送プログラムは、前記電子機器としてコンピューターを機能させることを特徴とする。
【００１８】
この構成により、本発明のファイル圧縮転送プログラムを実行するコンピューターは、複数の変換済ファイルを１つの圧縮ファイルに格納し、この圧縮ファイルを外部の装置に転送するので、外部の装置との間の１回の通信で外部の装置に複数の変換済ファイルを転送することができる。また、本発明のファイル圧縮転送プログラムを実行するコンピューターは、不要になったデータおよび変換済ファイルを削除しながら圧縮ファイルを生成するので、作業用記憶部の容量が少ない構成であっても、外部の装置との間の１回の通信で外部の装置に複数の変換済ファイルを転送することができる。
【発明の効果】
【００１９】
本発明の電子機器は、外部の装置との間の１回の通信で外部の装置に複数のファイルを転送することができる。
【図面の簡単な説明】
【００２０】
【図１】本発明の一実施の形態に係るネットワークシステムのブロック図である。
【図２】図１に示すＭＦＰのブロック図である。
【図３】１つの文書データを構成している複数のデータがＢｏｘ領域に記憶されている場合の図２に示すＲＡＭの状態を示す図である。
【図４】変換済ファイルがＢｏｘ領域に記憶されている場合の図２に示すＲＡＭの状態を示す図である。
【図５】圧縮ファイルがＢｏｘ領域に記憶されている場合の図２に示すＲＡＭの状態を示す図である。
【図６】図２に示す制御部の機能を示す図である。
【図７】図１に示すＰＣのブロック図である。
【図８】文書データを転送する場合の図２に示すＭＦＰの動作のフローチャートである。
【図９】図８に示す圧縮ファイルの生成の処理のフローチャートである。
【図１０】変換済ファイルがＳｗａｐ領域に生成された場合の図２に示すＲＡＭの状態を示す図である。
【図１１】データがＢｏｘ領域から削除された場合の図２に示すＲＡＭの状態を示す図である。
【図１２】圧縮時に変換済ファイルがＢｏｘ領域に移動させられた場合の図２に示すＲＡＭの状態を示す図である。
【図１３】変換済ファイルがＳｗａｐ領域に移動させられた場合の図２に示すＲＡＭの状態を示す図である。
【図１４】変換済ファイルが圧縮ファイルに格納させられた場合の図２に示すＲＡＭの状態を示す図である。
【図１５】圧縮時に変換済ファイルがＳｗａｐ領域から削除された場合の図２に示すＲＡＭの状態を示す図である。
【図１６】図８に示す文書データの復元の処理のフローチャートである。
【図１７】変換済ファイルがＳｗａｐ領域に伸張された場合の図２に示すＲＡＭの状態を示す図である。
【図１８】圧縮ファイルから変換済ファイルが削除された場合の図２に示すＲＡＭの状態を示す図である。
【図１９】復元時に変換済ファイルがＢｏｘ領域に移動させられた場合の図２に示すＲＡＭの状態を示す図である。
【図２０】データがＢｏｘ領域に生成された場合の図２に示すＲＡＭの状態を示す図である。
【図２１】復元時に変換済ファイルがＳｗａｐ領域から削除された場合の図２に示すＲＡＭの状態を示す図である。
【発明を実施するための形態】
【００２１】
以下、本発明の一実施の形態について、図面を用いて説明する。
【００２２】
まず、本実施の形態に係るネットワークシステムの構成について説明する。
【００２３】
図１は、本実施の形態に係るネットワークシステム１０のブロック図である。
【００２４】
図１に示すように、ネットワークシステム１０は、本発明の電子機器としてのＭＦＰ（Ｍｕｌｔｉｆｕｎｃｔｉｏｎ  Ｐｅｒｉｐｈｅｒａｌ）２０と、ＭＦＰ２０の外部の装置であるＰＣ(Ｐｅｒｓｏｎａｌ  Ｃｏｍｐｕｔｅｒ)５０とを備えている。ＭＦＰ２０およびＰＣ５０は、ＬＡＮ（Ｌｏｃａｌ  Ａｒｅａ  Ｎｅｔｗｏｒｋ）などのネットワーク１１を介して互いに通信可能に接続されている。
【００２５】
図２は、ＭＦＰ２０のブロック図である。
【００２６】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体への画像の印刷を実行する印刷デバイスであるプリンター２３と、原稿から画像を読み取る読取デバイスであるスキャナー２４と、公衆電話回線などの通信回線経由でファックス通信を行うファックスデバイスであるファックス通信部２５と、ネットワーク１１経由で通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部３０と、ＭＦＰ２０全体を制御する制御部４０とを備えている。
【００２７】
記憶部３０は、ファイルを圧縮して外部の装置に転送するためのファイル圧縮転送プログラム３１を記憶している。
【００２８】
ファイル圧縮転送プログラム３１は、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤメモリーカードなどの記憶媒体からＭＦＰ２０に追加でインストールされても良いし、ネットワーク１１上からＭＦＰ２０に追加でインストールされても良い。
【００２９】
制御部４０は、例えば、ＣＰＵ（Ｃｅｎｔｒａｌ  Ｐｒｏｃｅｓｓｉｎｇ  Ｕｎｉｔ）４１と、プログラムおよび各種のデータを予め記憶しているＲＯＭ（Ｒｅａｄ  Ｏｎｌｙ  Ｍｅｍｏｒｙ）４２と、ＣＰＵ４１の作業領域として用いられるＲＡＭ（Ｒａｎｄｏｍ  Ａｃｃｅｓｓ  Ｍｅｍｏｒｙ）４３とを備えている。ＣＰＵ４１は、ＲＯＭ４２または記憶部３０に記憶されているプログラムを実行するようになっている。
【００３０】
図３は、１つの文書データ４４を構成している複数のデータ４４ａ〜４４ｉがＢｏｘ領域４３ａに記憶されている場合のＲＡＭ４３の状態を示す図である。
【００３１】
図３に示すように、ＲＡＭ４３は、１つの文書データ４４を構成している複数のデータ４４ａ〜４４ｉを記憶するデータ記憶部としてのＢｏｘ領域４３ａと、作業に使用される作業用記憶部としてのＳｗａｐ領域４３ｂとを記憶することができる。データ４４ａ〜４４ｉは、それぞれ、文書データ４４における別々のページを構成している画像データである。データ４４ａ〜４４ｉは、ＰＣ５０などの外部の装置に送信される形式のデータではない。
【００３２】
図４は、文書データ４４のデータ４４ａ〜４４ｉが可逆圧縮によって変換された変換済ファイル４５ａ〜４５ｉがＢｏｘ領域４３ａに記憶されている場合のＲＡＭ４３の状態を示す図である。
【００３３】
図４に示すように、ＲＡＭ４３のＢｏｘ領域４３ａには、文書データ４４のデータ４４ａ〜４４ｉが例えばＴＩＦＦ（Ｔａｇｇｅｄ  Ｉｍａｇｅ  Ｆｉｌｅ  Ｆｏｒｍａｔ）、ＰＤＦ（Ｐｏｒｔａｂｌｅ  Ｄｏｃｕｍｅｎｔ  Ｆｏｒｍａｔ）などの可逆圧縮によってそれぞれ変換された変換済ファイル４５ａ〜４５ｉが記憶されることができる。変換済ファイル４５ａ〜４５ｉは、ＰＣ５０などの外部の装置に送信される形式のデータである。変換済ファイル４５ａ〜４５ｉは、圧縮されているので、それぞれ圧縮前のデータ４４ａ〜４４ｉよりサイズが小さい。
【００３４】
図５は、変換済ファイル４５ａ〜４５ｉが可逆圧縮によって圧縮されて格納された圧縮ファイル４６がＢｏｘ領域４３ａに記憶されている場合のＲＡＭ４３の状態を示す図である。
【００３５】
図５に示すように、ＲＡＭ４３のＢｏｘ領域４３ａには、変換済ファイル４５ａ〜４５ｉが例えばＺＩＰなどの可逆圧縮によって圧縮されて格納された圧縮ファイル４６が記憶されることができる。圧縮ファイル４６は、圧縮されているので、圧縮前の変換済ファイル４５ａ〜４５ｉの全体よりサイズが小さい。
【００３６】
図６は、制御部４０の機能を示す図である。
【００３７】
図６に示すように、制御部４０は、記憶部３０に記憶されているファイル圧縮転送プログラム３１を実行することによって、文書データ４４の転送の要求を受け付ける転送要求受付手段４０ａ、転送要求受付手段４０ａによって要求が受け付けられた場合にＢｏｘ領域４３ａ上の文書データ４４を格納する圧縮ファイル４６を生成する圧縮ファイル生成手段４０ｂ、圧縮ファイル生成手段４０ｂによって生成された圧縮ファイル４６を外部の装置に転送する圧縮ファイル転送手段４０ｉ、および、圧縮ファイル転送手段４０ｉによって圧縮ファイル４６が外部の装置に転送された場合にＢｏｘ領域４３ａ上の圧縮ファイル４６から文書データ４４を復元するデータ復元手段４０ｊとして機能する。すなわち、ＭＦＰ２０は、ファイル圧縮転送プログラム３１を実行する本発明のコンピューターを構成している。
【００３８】
圧縮ファイル生成手段４０ｂは、Ｂｏｘ領域４３ａ上の文書データ４４の１つのデータを可逆圧縮によって変換して変換済ファイルをＳｗａｐ領域４３ｂに生成する変換済ファイル生成手段４０ｃと、変換済ファイル生成手段４０ｃによって生成された変換済ファイルの変換元のデータをＢｏｘ領域４３ａから削除する変換元データ削除手段４０ｄと、Ｓｗａｐ領域４３ｂ上の変換済ファイルをＢｏｘ領域４３ａに移動させる圧縮時ファイル移動手段４０ｅと、Ｂｏｘ領域４３ａ上の文書データ４４の１つの変換済ファイルをＳｗａｐ領域４３ｂに移動させる圧縮時作業ファイル移動手段４０ｆと、Ｓｗａｐ領域４３ｂ上の変換済ファイルを可逆圧縮によって圧縮してＢｏｘ領域４３ａ上の圧縮ファイル４６に格納するファイル圧縮手段４０ｇと、ファイル圧縮手段４０ｇによって圧縮ファイル４６に格納された変換済ファイルをＳｗａｐ領域４３ｂから削除する圧縮時変換済ファイル削除手段４０ｈとを備えている。
【００３９】
データ復元手段４０ｊは、Ｂｏｘ領域４３ａ上の圧縮ファイル４６から文書データ４４の１つの変換済ファイルをＳｗａｐ領域４３ｂに伸張するファイル伸張手段４０ｋと、ファイル伸張手段４０ｋによって伸張された変換済ファイルを圧縮ファイル４６から削除する圧縮ファイル中ファイル削除手段４０ｌと、Ｓｗａｐ領域４３ｂ上の変換済ファイルをＢｏｘ領域４３ａに移動させる復元時ファイル移動手段４０ｍと、Ｂｏｘ領域４３ａ上の文書データ４４の１つの変換済ファイルをＳｗａｐ領域４３ｂに移動させる復元時作業ファイル移動手段４０ｎと、Ｓｗａｐ領域４３ｂ上の変換済ファイルを復元してデータをＢｏｘ領域４３ａに生成する復元データ生成手段４０ｏと、復元データ生成手段４０ｏによって生成されたデータの復元元の変換済ファイルをＳｗａｐ領域４３ｂから削除する復元時変換済ファイル削除手段４０ｐとを備えている。
【００４０】
図７は、ＰＣ５０のブロック図である。
【００４１】
図７に示すように、ＰＣ５０は、利用者による種々の操作が入力されるマウス、キーボードなどの入力デバイスである操作部５１と、種々の情報を表示するＬＣＤなどの表示デバイスである表示部５２と、ネットワーク１１経由で通信を行うネットワーク通信デバイスであるネットワーク通信部５３と、各種のデータを記憶しているＨＤＤ（Ｈａｒｄ  Ｄｉｓｋ  Ｄｒｉｖｅ）などの記憶デバイスである記憶部６０と、ＰＣ５０全体を制御する制御部７０とを備えている。
【００４２】
記憶部６０は、ＭＦＰ２０での印刷を制御するためのプログラムであるプリンタードライバー６１と、Ｗｅｂページを閲覧するためのプログラムであるウェブブラウザー６２とを記憶している。
【００４３】
プリンタードライバー６１およびウェブブラウザー６２は、ＰＣ５０の製造段階でＰＣ５０にインストールされていても良いし、ＵＳＢメモリー、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体からＰＣ５０に追加でインストールされても良いし、ネットワーク１１上からＰＣ５０に追加でインストールされても良い。
【００４４】
制御部７０は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部６０に記憶されているプログラムを実行するようになっている。
【００４５】
次に、ネットワークシステム１０の動作について説明する。
【００４６】
ＲＡＭ４３の状態が図３に示す状態である場合、利用者は、ＰＣ５０の操作部５１を介して制御部７０にウェブブラウザー６２を実行させた後、ウェブブラウザー６２を実行している制御部７０にＭＦＰ２０の文書データ４４の転送の要求を指示することができる。
【００４７】
ウェブブラウザー６２を実行している制御部７０は、ＭＦＰ２０の文書データ４４の転送の要求が指示されると、文書データ４４の転送の要求をネットワーク通信部５３を介してＨＴＴＰ（ＨｙｐｅｒＴｅｘｔ  Ｔｒａｎｓｆｅｒ  Ｐｒｏｔｏｃｏｌ）通信によってＭＦＰ２０に送信する。
【００４８】
ＭＦＰ２０の制御部４０は、ＰＣ５０から送信されてきた文書データ４４の転送の要求をネットワーク通信部２６を介して受信すると、図８に示す処理を実行する。
【００４９】
図８は、文書データ４４を転送する場合のＭＦＰ２０の動作のフローチャートである。
【００５０】
図８に示すように、ＭＦＰ２０の制御部４０の転送要求受付手段４０ａは、ネットワーク通信部２６を介して受信した文書データ４４の転送の要求を受け付ける（Ｓ１０１）。
【００５１】
次いで、制御部４０の圧縮ファイル生成手段４０ｂは、転送要求受付手段４０ａによって要求が受け付けられた場合にＢｏｘ領域４３ａ上の文書データ４４を格納する圧縮ファイル４６（図５参照。）を生成する（Ｓ１０２）。
【００５２】
次いで、制御部４０の圧縮ファイル転送手段４０ｉは、Ｓ１０２において生成された圧縮ファイル４６をネットワーク通信部２６を介してＨＴＴＰ通信によってＰＣ５０に転送する（Ｓ１０３）。
【００５３】
次いで、制御部４０のデータ復元手段４０ｊは、Ｂｏｘ領域４３ａ上の圧縮ファイル４６から文書データ４４（図３参照。）を復元した（Ｓ１０４）後、図８に示す処理を終了する。
【００５４】
したがって、ウェブブラウザー６２を実行している制御部７０は、Ｓ１０３においてＭＦＰ２０から転送されてきた圧縮ファイル４６をネットワーク通信部５３を介して受信した後、この圧縮ファイル４６を伸張して変換済ファイル４５ａ〜４５ｉの形式で文書データ４４を取得することができる。
【００５５】
図９は、Ｓ１０２における圧縮ファイル４６の生成の処理のフローチャートである。
【００５６】
図９に示すように、ＭＦＰ２０の制御部４０の変換済ファイル生成手段４０ｃは、Ｂｏｘ領域４３ａ上の文書データ４４の１つのデータを可逆圧縮によって変換して変換済ファイルをＳｗａｐ領域４３ｂに生成する（Ｓ１２１）。
【００５７】
図１０は、変換済ファイル４５ａがＳｗａｐ領域４３ｂに生成された場合のＲＡＭ４３の状態を示す図である。
【００５８】
例えば、Ｓ１２１の処理の直前のＲＡＭ４３の状態が図３に示す状態である場合、Ｓ１２１において、変換済ファイル生成手段４０ｃは、Ｂｏｘ領域４３ａ上の文書データ４４の１つのデータ４４ａを可逆圧縮によって変換して図１０に示すように変換済ファイル４５ａをＳｗａｐ領域４３ｂに生成する。
【００５９】
図９に示すように、制御部４０の変換元データ削除手段４０ｄは、Ｓ１２１の処理の後、Ｓ１２１において生成された変換済ファイルの変換元のデータをＢｏｘ領域４３ａから削除する（Ｓ１２２）。
【００６０】
図１１は、データ４４ａがＢｏｘ領域４３ａから削除された場合のＲＡＭ４３の状態を示す図である。
【００６１】
例えば、Ｓ１２２の処理の直前のＲＡＭ４３の状態が図１０に示す状態である場合、Ｓ１２２において、変換元データ削除手段４０ｄは、Ｓ１２１において生成された変換済ファイル４５ａの変換元のデータ４４ａを図１１に示すようにＢｏｘ領域４３ａから削除する。
【００６２】
図９に示すように、制御部４０の圧縮時ファイル移動手段４０ｅは、Ｓ１２２の処理の後、Ｓ１２１において生成されたＳｗａｐ領域４３ｂ上の変換済ファイルをＢｏｘ領域４３ａに移動させる（Ｓ１２３）。この処理によって、Ｓｗａｐ領域４３ｂには、変換済ファイルが存在しなくなる。
【００６３】
図１２は、圧縮時に変換済ファイル４５ａがＢｏｘ領域４３ａに移動させられた場合のＲＡＭ４３の状態を示す図である。
【００６４】
例えば、Ｓ１２３の処理の直前のＲＡＭ４３の状態が図１１に示す状態である場合、Ｓ１２３において、圧縮時ファイル移動手段４０ｅは、Ｓ１２１において生成されたＳｗａｐ領域４３ｂ上の変換済ファイル４５ａを図１２に示すようにＢｏｘ領域４３ａに移動させる。
【００６５】
図９に示すように、制御部４０の圧縮ファイル生成手段４０ｂは、Ｂｏｘ領域４３ａ上の文書データ４４の全てのデータに対してＳ１２１の処理を実行したか否かを判断する（Ｓ１２４）。
【００６６】
Ｂｏｘ領域４３ａ上の文書データ４４の何れかのデータに対して未だＳ１２１の処理を実行していないとＳ１２４において圧縮ファイル生成手段４０ｂが判断すると、制御部４０の変換済ファイル生成手段４０ｃは、Ｂｏｘ領域４３ａ上の文書データ４４のデータのうち未だＳ１２１の処理を実行していないデータに対してＳ１２１の処理を実行する。
【００６７】
例えば、図９に示す処理の開始前のＲＡＭ４３の状態が図３に示す状態である場合、Ｂｏｘ領域４３ａ上の文書データ４４の全てのデータに対してＳ１２１の処理を実行したとＳ１２４において圧縮ファイル生成手段４０ｂが判断したとき、ＲＡＭ４３の状態は、図４に示すように文書データ４４の全ての変換済ファイル４５ａ〜４５ｉがＢｏｘ領域４３ａに記憶されていて、何れの変換済ファイルもＳｗａｐ領域４３ｂに存在していない。
【００６８】
図９に示すように、Ｂｏｘ領域４３ａ上の文書データ４４の全てのデータに対してＳ１２１の処理を実行したとＳ１２４において圧縮ファイル生成手段４０ｂが判断すると、制御部４０の圧縮時作業ファイル移動手段４０ｆは、Ｂｏｘ領域４３ａ上の文書データ４４の１つの変換済ファイルをＳｗａｐ領域４３ｂに移動させる（Ｓ１２５）。
【００６９】
図１３は、変換済ファイル４５ａがＳｗａｐ領域４３ｂに移動させられた場合のＲＡＭ４３の状態を示す図である。
【００７０】
例えば、Ｓ１２５の処理の直前のＲＡＭ４３の状態が図４に示す状態である場合、Ｓ１２５において、圧縮時作業ファイル移動手段４０ｆは、Ｂｏｘ領域４３ａ上の文書データ４４の変換済ファイル４５ａを図１３に示すようにＳｗａｐ領域４３ｂに移動させる。
【００７１】
図９に示すように、制御部４０のファイル圧縮手段４０ｇは、Ｓ１２５の処理の後、Ｓｗａｐ領域４３ｂ上の変換済ファイルを図示していない圧縮ライブラリーによる可逆圧縮によって圧縮してＢｏｘ領域４３ａ上の圧縮ファイル４６に格納する（Ｓ１２６）。
【００７２】
図１４は、変換済ファイル４５ａが圧縮ファイル４６に格納させられた場合のＲＡＭ４３の状態を示す図である。
【００７３】
例えば、Ｓ１２６の処理の直前のＲＡＭ４３の状態が図１３に示す状態である場合、Ｓ１２６において、ファイル圧縮手段４０ｇは、Ｓｗａｐ領域４３ｂ上の変換済ファイル４５ａを可逆圧縮によって圧縮して図１４に示すようにＢｏｘ領域４３ａ上の圧縮ファイル４６に格納する。なお、ファイル圧縮手段４０ｇは、Ｓｗａｐ領域４３ｂ上の変換済ファイルを可逆圧縮によって圧縮する場合、Ｂｏｘ領域４３ａ上に圧縮ファイル４６が存在しないときにＢｏｘ領域４３ａ上に圧縮ファイル４６を生成し、Ｂｏｘ領域４３ａ上に圧縮ファイル４６が存在するときにＢｏｘ領域４３ａ上の圧縮ファイル４６に圧縮後の変換済ファイルを追加する。
【００７４】
図９に示すように、制御部４０の圧縮時変換済ファイル削除手段４０ｈは、Ｓ１２６において圧縮ファイル４６に格納された変換済ファイルをＳｗａｐ領域４３ｂから削除する（Ｓ１２７）。
【００７５】
図１５は、圧縮時に変換済ファイル４５ａがＳｗａｐ領域４３ｂから削除された場合のＲＡＭ４３の状態を示す図である。
【００７６】
例えば、Ｓ１２７の処理の直前のＲＡＭ４３の状態が図１４に示す状態である場合、Ｓ１２７において、圧縮時変換済ファイル削除手段４０ｈは、Ｓｗａｐ領域４３ｂ上の変換済ファイル４５ａを図１５に示すように削除する。
【００７７】
図９に示すように、制御部４０の圧縮ファイル生成手段４０ｂは、Ｂｏｘ領域４３ａ上の文書データ４４の全ての変換済ファイルに対してＳ１２５の処理を実行したか否かを判断する（Ｓ１２８）。
【００７８】
Ｂｏｘ領域４３ａ上の文書データ４４の何れかの変換済ファイルに対して未だＳ１２５の処理を実行していないとＳ１２８において圧縮ファイル生成手段４０ｂが判断すると、制御部４０の圧縮時作業ファイル移動手段４０ｆは、Ｂｏｘ領域４３ａ上の文書データ４４の変換済ファイルのうち未だＳ１２５の処理を実行していないデータに対してＳ１２５の処理を実行する。
【００７９】
例えば、Ｓ１２３の処理の終了直後のＲＡＭ４３の状態が図４に示す状態である場合、Ｂｏｘ領域４３ａ上の文書データ４４の全ての変換済ファイルに対してＳ１２５の処理を実行したとＳ１２８において圧縮ファイル生成手段４０ｂが判断したとき、ＲＡＭ４３の状態は、図５に示すように文書データ４４の全ての変換済ファイル４５ａ〜４５ｉが格納された圧縮ファイル４６がＢｏｘ領域４３ａに記憶されている。
【００８０】
図９に示すように、Ｂｏｘ領域４３ａ上の文書データ４４の全ての変換済ファイルに対してＳ１２５の処理を実行したとＳ１２８において圧縮ファイル生成手段４０ｂが判断すると、圧縮ファイル生成手段４０ｂは、図９に示す処理を終了する。
【００８１】
図１６は、Ｓ１０４における文書データ４４の復元の処理のフローチャートである。
【００８２】
図１６に示すように、ＭＦＰ２０の制御部４０のファイル伸張手段４０ｋは、Ｂｏｘ領域４３ａ上の圧縮ファイル４６から文書データ４４の１つの変換済ファイルをＳｗａｐ領域４３ｂに伸張する（Ｓ１４１）。
【００８３】
図１７は、変換済ファイル４５ａがＳｗａｐ領域４３ｂに伸張された場合のＲＡＭ４３の状態を示す図である。
【００８４】
例えば、Ｓ１４１の処理の直前のＲＡＭ４３の状態が図５に示す状態である場合、Ｓ１４１において、ファイル伸張手段４０ｋは、Ｂｏｘ領域４３ａ上の圧縮ファイル４６から文書データ４４の変換済ファイル４５ａを図１７に示すようにＳｗａｐ領域４３ｂに伸張する。
【００８５】
図１６に示すように、制御部４０の圧縮ファイル中ファイル削除手段４０ｌは、Ｓ１４１の処理の後、Ｓ１４１において伸張された変換済ファイルを圧縮ファイル４６から削除する（Ｓ１４２）。
【００８６】
図１８は、圧縮ファイル４６から変換済ファイル４５ａが削除された場合のＲＡＭ４３の状態を示す図である。
【００８７】
例えば、Ｓ１４２の処理の直前のＲＡＭ４３の状態が図１７に示す状態である場合、Ｓ１４２において、圧縮ファイル中ファイル削除手段４０ｌは、Ｓ１４１において伸張された変換済ファイル４５ａを図１８に示すように圧縮ファイル４６から削除する。なお、圧縮ファイル中ファイル削除手段４０ｌは、Ｂｏｘ領域４３ａ上の圧縮ファイル４６から全ての変換済ファイルを削除する場合、Ｂｏｘ領域４３ａ上から圧縮ファイル４６自体を削除する。
【００８８】
図１６に示すように、制御部４０の復元時ファイル移動手段４０ｍは、Ｓ１４２の処理の後、Ｓ１４１において伸張されたＳｗａｐ領域４３ｂ上の変換済ファイルをＢｏｘ領域４３ａに移動させる（Ｓ１４３）。
【００８９】
図１９は、復元時に変換済ファイル４５ａがＢｏｘ領域４３ａに移動させられた場合のＲＡＭ４３の状態を示す図である。
【００９０】
例えば、Ｓ１４３の処理の直前のＲＡＭ４３の状態が図１８に示す状態である場合、Ｓ１４３において、復元時ファイル移動手段４０ｍは、Ｓ１４１において伸張された変換済ファイル４５ａを図１９に示すようにＢｏｘ領域４３ａに移動させる。
【００９１】
図１６に示すように、制御部４０のデータ復元手段４０ｊは、Ｂｏｘ領域４３ａ上の圧縮ファイル４６内の全ての変換済ファイルに対してＳ１４１の処理を実行したか否かを判断する（Ｓ１４４）。
【００９２】
Ｂｏｘ領域４３ａ上の圧縮ファイル４６内の何れかの変換済ファイルに対して未だＳ１４１の処理を実行していないとＳ１４４においてデータ復元手段４０ｊが判断すると、制御部４０のファイル伸張手段４０ｋは、Ｂｏｘ領域４３ａ上の圧縮ファイル４６内の変換済ファイルのうち未だＳ１４１の処理を実行していないデータに対してＳ１４１の処理を実行する。
【００９３】
例えば、図１６に示す処理の開始前のＲＡＭ４３の状態が図５に示す状態である場合、Ｂｏｘ領域４３ａ上の圧縮ファイル４６内の全ての変換済ファイルに対してＳ１４１の処理を実行したとＳ１４４においてデータ復元手段４０ｊが判断したとき、ＲＡＭ４３の状態は、図４に示すように文書データ４４の全ての変換済ファイル４５ａ〜４５ｉがＢｏｘ領域４３ａに記憶されていて、何れの変換済ファイルもＳｗａｐ領域４３ｂに存在していない。
【００９４】
図１６に示すように、Ｂｏｘ領域４３ａ上の圧縮ファイル４６内の全ての変換済ファイルに対してＳ１４１の処理を実行したとＳ１４４においてデータ復元手段４０ｊが判断すると、制御部４０の復元時作業ファイル移動手段４０ｎは、Ｂｏｘ領域４３ａ上の文書データ４４の１つの変換済ファイルをＳｗａｐ領域４３ｂに移動させる（Ｓ１４５）。
【００９５】
例えば、Ｓ１４５の処理の直前のＲＡＭ４３の状態が図４に示す状態である場合、Ｓ１４５において、復元時作業ファイル移動手段４０ｎは、Ｂｏｘ領域４３ａ上の文書データ４４の変換済ファイル４５ａを図１３に示すようにＳｗａｐ領域４３ｂに移動させる。
【００９６】
図１６に示すように、制御部４０の復元データ生成手段４０ｏは、Ｓ１４５の処理の後、Ｓ１４５において移動させたＳｗａｐ領域４３ｂ上の変換済ファイルを復元してデータをＢｏｘ領域４３ａに生成する（Ｓ１４６）。
【００９７】
図２０は、データ４４ａがＢｏｘ領域４３ａに生成された場合のＲＡＭ４３の状態を示す図である。
【００９８】
例えば、Ｓ１４６の処理の直前のＲＡＭ４３の状態が図１３に示す状態である場合、Ｓ１４６において、復元データ生成手段４０ｏは、Ｓ１４５において移動させたＳｗａｐ領域４３ｂ上の変換済ファイル４５ａを復元してデータ４４ａを図２０に示すようにＢｏｘ領域４３ａに生成する。
【００９９】
図１６に示すように、制御部４０の復元時変換済ファイル削除手段４０ｐは、Ｓ１４６の処理の後、Ｓ１４６において生成されたデータの復元元の変換済ファイルをＳｗａｐ領域４３ｂから削除する（Ｓ１４７）。
【０１００】
図２１は、復元時に変換済ファイル４５ａがＳｗａｐ領域４３ｂから削除された場合のＲＡＭ４３の状態を示す図である。
【０１０１】
例えば、Ｓ１４７の処理の直前のＲＡＭ４３の状態が図２０に示す状態である場合、Ｓ１４７において、復元時変換済ファイル削除手段４０ｐは、Ｓ１４６において生成されたデータ４４ａの復元元の変換済ファイル４５ａを図２１に示すようにＳｗａｐ領域４３ｂから削除する。
【０１０２】
図１６に示すように、制御部４０のデータ復元手段４０ｊは、Ｂｏｘ領域４３ａ上の文書データ４４の全ての変換済ファイルに対してＳ１４５の処理を実行したか否かを判断する（Ｓ１４８）。
【０１０３】
Ｂｏｘ領域４３ａ上の文書データ４４の何れかの変換済ファイルに対して未だＳ１４５の処理を実行していないとＳ１４８においてデータ復元手段４０ｊが判断すると、制御部４０の復元時作業ファイル移動手段４０ｎは、Ｂｏｘ領域４３ａ上の文書データ４４の変換済ファイルのうち未だＳ１４５の処理を実行していないデータに対してＳ１４５の処理を実行する。
【０１０４】
例えば、Ｓ１４３の処理の終了直後のＲＡＭ４３の状態が図４に示す状態である場合、Ｂｏｘ領域４３ａ上の文書データ４４の全ての変換済ファイルに対してＳ１４５の処理を実行したとＳ１４８においてデータ復元手段４０ｊが判断したとき、ＲＡＭ４３の状態は、図３に示す最初の状態に戻っている。
【０１０５】
図１６に示すように、Ｂｏｘ領域４３ａ上の文書データ４４の全ての変換済ファイルに対してＳ１４５の処理を実行したとＳ１４８においてデータ復元手段４０ｊが判断すると、データ復元手段４０ｊは、図１６に示す処理を終了する。
【０１０６】
以上に説明したように、ＭＦＰ２０は、複数の変換済ファイル４５ａ〜４５ｉを１つの圧縮ファイル４６に格納し（Ｓ１０２、Ｓ１２６）、この圧縮ファイル４６をＰＣ５０に転送する（Ｓ１０３）ので、ＰＣ５０との間の１回の通信でＰＣ５０に複数の変換済ファイル４５ａ〜４５ｉを転送することができる。
【０１０７】
また、ＭＦＰ２０は、不要になったデータおよび変換済ファイルを削除しながら（Ｓ１２２、Ｓ１２３、Ｓ１２５、Ｓ１２７）圧縮ファイル４６を生成する（Ｓ１２６）ので、Ｓｗａｐ領域４３ｂの容量が少ない構成であっても、ＰＣ５０との間の１回の通信でＰＣ５０に複数の変換済ファイル４５ａ〜４５ｉを転送することができる。したがって、ＭＦＰ２０は、Ｓｗａｐ領域４３ｂのためにＨＤＤのような大容量の記憶装置を備えていなくても良い。
【０１０８】
なお、ＭＦＰ２０は、Ｓｗａｐ領域４３ｂの容量として、文書データ４４の１ページ分のデータに対応する変換済ファイルを記憶することができる容量を備えていれば良い。
【０１０９】
ＭＦＰ２０は、複数のデータ４４ａ〜４４ｉの全てが変換済ファイル４５ａ〜４５ｉとしてＢｏｘ領域４３ａに存在している状態（Ｓ１２４でＹＥＳ）でＢｏｘ領域４３ａに圧縮ファイル４６を生成する（Ｓ１２６）ので、複数のデータ４４ａ〜４４ｉの何れかが変換済ファイルに変換される前にＢｏｘ領域４３ａに圧縮ファイル４６を生成する場合と比較して、Ｂｏｘ領域４３ａの空き容量に余裕がある状態で圧縮ファイル４６を生成することができる。なお、ＭＦＰ２０は、複数のデータ４４ａ〜４４ｉの何れかが変換済ファイルに変換される前にＢｏｘ領域４３ａに圧縮ファイル４６を生成するようになっていても良い。
【０１１０】
ＭＦＰ２０は、圧縮ファイル４６がＰＣ５０に転送された場合（Ｓ１０３）にＢｏｘ領域４３ａ上の圧縮ファイル４６から複数のデータ４４ａ〜４４ｉを復元する（Ｓ１０４、Ｓ１４６）ので、圧縮ファイル４６をＰＣ５０に転送した後、この圧縮ファイル４６から複数のデータ４４ａ〜４４ｉを復元することができる。
【０１１１】
なお、ＭＦＰ２０は、本実施の形態において、複数のデータ４４ａ〜４４ｉの全てが変換済ファイルとしてＢｏｘ領域４３ａに存在している状態（Ｓ１４４でＹＥＳ）で変換済ファイルを復元してデータをＢｏｘ領域４３ａに生成するようになっている（Ｓ１４６）が、複数のデータ４４ａ〜４４ｉの何れかが変換済ファイルとして圧縮ファイル内に存在している状態で変換済ファイルを復元してデータをＢｏｘ領域４３ａに生成するようになっていても良い。
【０１１２】
ＭＦＰ２０は、Ｂｏｘ領域４３ａおよびＳｗａｐ領域４３ｂがＲＡＭで構成されているので、Ｂｏｘ領域４３ａおよびＳｗａｐ領域４３ｂの少なくとも一方がＨＤＤで構成されている場合と比較して、Ｂｏｘ領域４３ａおよびＳｗａｐ領域４３ｂへのアクセスが高速である。したがって、ＭＦＰ２０は、複数のデータ４４ａ〜４４ｉを高速にＰＣ５０に転送することができる。なお、ＭＦＰ２０は、Ｂｏｘ領域４３ａおよびＳｗａｐ領域４３ｂの少なくとも一方がＨＤＤで構成されていても良い。
【０１１３】
ＭＦＰ２０は、複数のデータ４４ａ〜４４ｉの各データが１つの文書データ４４における別々のページを構成しているので、複数のページで構成されている文書データ４４を、ＰＣ５０との間の１回の通信でＰＣ５０に転送することができる。
【０１１４】
なお、本発明の電子機器は、本実施の形態においてＭＦＰであるが、ＭＦＰ以外の画像形成装置であっても良いし、例えばＰＣなど、画像形成装置以外の電子機器であっても良い。
【符号の説明】
【０１１５】
２０  ＭＦＰ（電子機器、コンピューター）
３１  ファイル圧縮転送プログラム
４０ａ  転送要求受付手段
４０ｂ  圧縮ファイル生成手段
４０ｃ  変換済ファイル生成手段
４０ｄ  変換元データ削除手段
４０ｅ  圧縮時ファイル移動手段
４０ｆ  圧縮時作業ファイル移動手段
４０ｇ  ファイル圧縮手段
４０ｈ  圧縮時変換済ファイル削除手段
４０ｉ  圧縮ファイル転送手段
４０ｊ  データ復元手段
４０ｋ  ファイル伸張手段
４０ｌ  圧縮ファイル中ファイル削除手段
４０ｍ  復元時ファイル移動手段
４０ｎ  復元時作業ファイル移動手段
４０ｏ  復元データ生成手段
４０ｐ  復元時変換済ファイル削除手段
４３  ＲＡＭ
４３ａ  Ｂｏｘ領域（データ記憶部）
４３ｂ  Ｓｗａｐ領域（作業用記憶部）
４４  文書データ
４４ａ〜４４ｉ  データ
４５ａ〜４５ｉ  変換済ファイル
４６  圧縮ファイル
５０  ＰＣ（外部の装置）
【図１】
0005358710.tif 000002
【図２】
0005358710.tif 000003
【図３】
0005358710.tif 000004
【図４】
0005358710.tif 000005
【図５】
0005358710.tif 000006
【図６】
0005358710.tif 000007
【図７】
0005358710.tif 000008
【図８】
0005358710.tif 000009
【図９】
0005358710.tif 000010
【図１０】
0005358710.tif 000011
【図１１】
0005358710.tif 000012
【図１２】
0005358710.tif 000013
【図１３】
0005358710.tif 000014
【図１４】
0005358710.tif 000015
【図１５】
0005358710.tif 000016
【図１６】
0005358710.tif 000017
【図１７】
0005358710.tif 000018
【図１８】
0005358710.tif 000019
【図１９】
0005358710.tif 000020
【図２０】
0005358710.tif 000021
【図２１】
0005358710.tif 000022